(57)【要約】  本明細書で開示されるのは繊維の静電荷を測定するためのセンサであって、センサは、  絶縁されたセンサハンドルと、センサハンドルに接続している金属製センサヘッドと、電位計及びコンデンサであって、これら両方ともセンサハンドルの中にある、電位計及びコンデンサと、ハンドル上のディスプレイとを備え、繊維とセンサヘッドとの間で接触の間じゅうに生成された静電荷が、センサヘッドからコンデンサへと伝送され、コンデンサに接続されている電位計によって測定され、ディスプレイに表示される。センサヘッドは好ましくはブラシ又はくしの形状であり、静電荷はくし掛けの間じゅうに生成される。
2017521665.tif 000002
【特許請求の範囲】
【請求項１】
繊維の静電荷を測定するためのセンサであって、
絶縁されたセンサハンドルと、
前記センサハンドルに接続している金属製センサヘッドと、
電位計及びコンデンサであって、これら両方とも前記センサハンドルの中にある、該電位計及びコンデンサと、
前記センサハンドル上のディスプレイと、
を備え、前記繊維と前記センサヘッドとの間で接触の間じゅうに生成された前記静電荷が、前記センサヘッドから前記コンデンサへと伝送され、前記コンデンサに接続されている前記電位計によって測定され、前記ディスプレイに表示されることを特徴とするセンサ。
【請求項２】
前記センサヘッドが、くし、ブラシ、ロッド、又はクランプの形状であることを特徴とする請求項１に記載のセンサ。
【請求項３】
前記センサヘッドが、くし又はブラシの形状であり、前記静電荷がくし掛けの間じゅうに生成されることを特徴とする請求項１に記載のセンサ。
【請求項４】
前記センサは、前記センサの前記静電荷の放電を可能にする放電機能を更に備えたことを特徴とする請求項１に記載のセンサ。
【請求項５】
前記ディスプレイに示される前記静電荷は、第１の静電荷と第２の静電荷との間の静電荷差であることを特徴とする請求項１に記載のセンサ。
【請求項６】
前記センサは、少なくとも２つの異なる静電荷を記憶することができるデータ格納をさらに含むことを特徴とする請求項１に記載のセンサ。
【請求項７】
前記データ格納が前記センサハンドル内にあることを特徴とする請求項６に記載のセンサ。
【請求項８】
前記センサは計算機を更に備え、前記計算機が前記第１の静電荷と前記第２の静電荷との間の差を計算することができることを特徴とする請求項１に記載のセンサ。
【請求項９】
前記計算機は前記センサハンドル内にあることを特徴とする請求項８に記載のセンサ。
【請求項１０】
前記センサは、前記センサハンドル上に作動ボタンを更に含み、前記作動ボタンが、静電荷表示、放電機能、及びこれらの組み合わせからなる群から選択される少なくとも１つを作動させることを特徴とする請求項１に記載のセンサ。
【発明の詳細な説明】
【技術分野】
【０００１】
本発明は、繊維の静電荷を測定するためのセンサに関するものであり、このセンサは、
絶縁されたセンサハンドルと、センサハンドルに接続している金属製センサヘッドと、電位計及びコンデンサであって、これら両方ともセンサハンドルの中にある、電位計及びコンデンサと、ハンドル上のディスプレイとを備え、繊維とセンサヘッドとの間で接触の間じゅうに生成された静電荷が、センサヘッドからコンデンサへと伝送され、コンデンサに接続している電位計によって測定され、ディスプレイに表示される。センサヘッドは好ましくはブラシ又はくしの形状であり、静電荷はくし掛けの間じゅうに生成される。
【背景技術】
【０００２】
ケラチン繊維、具体的には、ヒトの毛髪繊維は、時間が経つにつれて損傷し得る。損傷は、空気の汚染、日光への曝露、水プールの塩素、及び／又は雨を含めた、環境要因によって引き起こされ得る。損傷はまた、グルーミング（化粧品）処置、化学的処置、及び／又は機械的処置を、繊維に適用することによっても引き起こされる場合がある。毛髪繊維が損傷すると、その毛髪繊維は、例えば、「まとまりのない髪」、「枝毛」、及び／又は退色といった、望ましくない状態を有し得る。
【０００３】
ケラチン繊維に生じた損傷の程度を含む状態を評価することは、ケラチン繊維に対しての、様々な環境要因の影響、並びに化粧品（グルーミング）処置、化学的処置、及び機械的処置の影響を理解する目的において、興味深い。そのような評価はまた、ケラチン繊維の損傷の予防及び／又は修復に使用される処置の有効性を立証する目的においても、興味深い。種々の方法及び／又は装置を使用する、ケラチン繊維の損傷を評価するためのいくつかの試みが、これまでに報告されている。
【０００４】
特に繊維をくし掛けする際の、繊維の静電気を測定することは、ケラチン繊維の状態を評価する一般的な方法の１つである。一般的に言って、繊維上に静電気が多いほど、繊維のまとまりが悪くなる。損傷及び／又はカールの程度が大きいケラチン繊維は、くし掛け時に静電気が生じやすい。これは、くし掛け時に繊維間の摩擦及び／又はもつれほぐしの程度が大きくなるからである。
【０００５】
例えば、文献「Ｔｈｅ  ｅｌｅｃｔｒｏｓｔａｔｉｃ  ｐｒｏｐｅｒｔｉｅｓ  ｏｆ  ｈｕｍａｎ  ｈａｉｒ」、Ｊ．Ｓｏｃ．Ｃｏｓｍ．Ｃｈｅｍ．、２８、５４９〜５６９（１９７７年）は、電位計に接続しているファラデーケージ内での、くし掛けにより毛髪束に生じた静電気変化の測定を発表している。
【先行技術文献】
【非特許文献】
【０００６】
【非特許文献１】「Ｔｈｅ  ｅｌｅｃｔｒｏｓｔａｔｉｃ  ｐｒｏｐｅｒｔｉｅｓ  ｏｆ  ｈｕｍａｎ  ｈａｉｒ」、Ｊ．Ｓｏｃ．Ｃｏｓｍ．Ｃｈｅｍ．、２８、５４９〜５６９（１９７７年）
【発明の概要】
【発明が解決しようとする課題】
【０００７】
しかしながら、使いやすい静電気測定装置を提供することのニーズが依然として存在する。
【課題を解決するための手段】
【０００８】
本発明は、繊維の静電荷を測定するためのセンサを目的とし、このセンサは、
絶縁されたセンサハンドルと、
センサハンドルに接続している金属製センサヘッドと、
電位計及びコンデンサであって、これら両方ともセンサハンドルの中にある、電位計及びコンデンサと、
センサハンドル上のディスプレイと、
を備え、繊維とセンサヘッドとの間で接触の間じゅうに生成された静電荷が、センサヘッドからコンデンサへと伝送され、コンデンサに接続されている電位計によって測定され、ディスプレイに表示される。
【０００９】
センサは、静電荷測定のためのファラデーケージを必要とせず、そのようなファラデーケージを必要とするものに比べて使用が簡単である。
【図面の簡単な説明】
【００１０】
添付の図面は、本明細書に組み込まれてこの一部を構成するものであり、本発明の実施形態を例示し、上記に与えられた本発明の概要、及び以下に示される「発明を実施するための形態」と共に、本発明を説明するのに役立つ。
【図１】センサハンドル内部の機構と、くし形状内の金属製センサヘッド及びディスプレイとの接続の一例を図示する。
【発明を実施するための形態】
【００１１】
本明細書は、本発明を具体的に指摘しかつ明確に特許請求する「特許請求の範囲」を結論とするが、以下の記述により、本発明がよりよく理解されるであろうと考えられる。
【００１２】
センサ
本発明のセンサは、繊維の静電荷を測定するためのものであり、センサは、
絶縁されたセンサハンドルと、
センサハンドルに接続している金属製センサヘッドと、
電位計及びコンデンサであって、これら両方ともセンサハンドルの中にある、電位計及びコンデンサと、
センサハンドル上のディスプレイと、
を備え、繊維とセンサヘッドとの間で接触の間じゅうに生成された静電荷が、センサヘッドからコンデンサへと伝送され、コンデンサに接続されている電位計によって測定され、ディスプレイに表示される。
【００１３】
センサヘッドは、くし、ブラシ、ロッド、又はクランプの形状であり得る。好ましくは、このセンサヘッドはくし又はブラシの形状であり、静電荷はくし掛けの間じゅうに生成される。
【００１４】
センサヘッドがくし又はブラシの形状であるとき、センサヘッドは通常、くし歯を有する。そのようなくし歯の間の隙間は約１〜５ｍｍであってよく、くしセンサヘッドの長さ（最初のくし歯から最後のくし歯までの距離であって、この最初のくし歯はハンドルからくしセンサヘッドの近位端にあり、最後のくし歯はハンドルからくしセンサヘッドの遠位端にある）は約５０〜１００ｍｍであってよく、くしセンサヘッドの幅（これはくし歯の長さにほぼ等しい）は約２０〜４０ｍｍであってよい。
【００１５】
センサハンドルは、例えばプラスチック及びゴムなど、任意の手段により絶縁される。センサヘッドに使用する金属も、例えばアルミニウム、鋼、銅、及び真鍮など、本発明の目的に適合する限り任意のものであってよい。
【００１６】
金属製センサヘッドは、金属のみで製造されてよく、又は金属コーティングを伴うプラスチックで製造することもできる。
【００１７】
ディスプレイ
本発明のセンサは、電位計により測定された静電荷を示すためのディスプレイを含む。
【００１８】
このディスプレイに示される静電荷は、静電荷自体であってよく、第１の静電荷と第２の静電荷の間の静電荷差であってよく、又は静電荷により評価される繊維の状態であってもよい。そのような繊維の状態は、例えば、損傷、滑らかさ、及び／又は水分量である。
【００１９】
ディスプレイは、そのような静電荷（静電荷自体、第１の静電荷と第２の静電荷の間の静電荷差、又は繊維の状態）を１つずつ表示してよく、又は全てを同時に表示してもよい。
【００２０】
静電荷自体、及び静電荷差は、絶対値、相対値、及び／又は指標により示すことができる。
【００２１】
ディスプレイが第１の静電荷と第２の静電荷の間の静電荷差を示し得る場合、このセンサは、第１の静電荷自体、第２の静電荷自体も示すことが好ましい。
【００２２】
データ格納と計算機
好ましくは、このセンサは更に、少なくとも２つの異なる静電荷を記憶できるデータ格納を含む。好ましくは、このセンサは更に計算機を備え、この計算機が第１の静電荷と第２の静電荷の間の差を計算できる。
【００２３】
好ましくは、このデータ格納と計算機は、センサハンドル内に配置される。あるいは、このデータ格納と計算機は、センサとは別に配置されてよく、例えば、センサとのワイヤレス接続を有するＰＣ及び／又は携帯電話に配置される。別の一例において、このデータ格納と計算機は、センサハンドル内と、センサとのワイヤレス接続を有するＰＣ及び／又は携帯電話内の両方に配置されてもよい。
【００２４】
データ格納と計算機は合体させることができる。例えば、図１に示すように、ＭＣＵ（マイクロコントローラユニット）は、データ格納と計算機の両方として機能することができる。
【００２５】
放電機能
好ましくは、このセンサは、センサの静電荷の放電を可能にする放電機能を更に含む。この放電機能は好ましくは、センサハンドル内に配置される。この放電機能のために、センサハンドルの少なくとも一部分が金属製か、又は金属によりコーティングされており、この金属が少なくとも放電機能の作動に応じてコンデンサへの電気接続を有していることが好ましい。この金属部分は好ましくは、放電機能の作動の際に、オペレータがほぼ自動的に触れるハンドル位置に配置されることが好ましい。より好ましくは、この金属部分は作動ボタンであり得る。
【００２６】
作動ボタン
好ましくは、このセンサはセンサハンドル上に作動ボタンを更に含み、これは、静電荷表示、放電機能、及びこれらの組み合わせからなる群から選択される少なくとも１つを作動させる。作動ボタンは、他の機能も作動させることができる。そのような他の機能には、例えば、データ格納、計算がある。
【００２７】
そのような作動は、例えば、最初の押下でディスプレイを作動させ、次に第２の押下で放電を作動させるなど、ボタンを順に押すことで成し遂げることができる。あるいは、そのような作動は、特定の機能の表示に従って、特定の位置にボタンをスライドさせることによって成し遂げることができる。
【００２８】
追加の機能
本発明のセンサは更に、湿度センサ、温度センサ、又はこれらの組み合わせも含み得る。これらの追加センサから得られたデータは、繊維の静電荷の測定結果を調整するために使用することができる。
【００２９】
本発明のセンサは、センサから繊維へマイナスイオンを放出し得るイオン機能を含んでもよく、特にくし掛け後及び／又は測定後に繊維の電荷を中和することができる。
【００３０】
好ましい一実施形態
好ましい一実施形態において、本発明のセンサは、繊維の静電荷を測定するためのものであり、センサは、
絶縁されたセンサハンドルと、
ハンドルに接続し、かつくし歯を有する金属製くしセンサヘッドと、
電位計、コンデンサ、データ格納、計算機、及び放電機能であって、これら全てがその中にある、該電位計、コンデンサ、データ格納、計算機、及び放電機能と、
ハンドル上のディスプレイと、
センサハンドル上の作動ボタンであって、作動ボタンは、静電荷表示、放電機能、及びこれらの組み合わせからなる群から選択される少なくとも１つを作動させる、作動ボタンと、
を備え、くし掛けの間じゅうに生成された静電荷が、センサヘッドからコンデンサへと伝送され、コンデンサに接続されている電位計によって測定され、ディスプレイに表示される。
【００３１】
図１は、上記の好ましい実施形態における、センサハンドル内部の機構と、金属製くしセンサヘッド及びディスプレイへの接続の一例を示す。
【００３２】
この例において、ＭＣＵはデータ格納及び計算機として機能する。図１には示されていないが、作動ボタンがＭＣＵに接続され、ＭＣＵを介してディスプレイ及び放電などのいくつかの機能を作動させる。
【００３３】
この例において、くし掛けの間じゅうに生成された静電荷は、ＭＣＵを介した作動ボタンによる測定スイッチの作動に応じて、センサヘッドからコンデンサへと伝送され、電位計により測定される。静電荷はＭＣＵを介してディスプレイに表示され、好ましくはＭＣＵに記録される。次に、ＭＣＵを介して作動ボタンにより、リセットスイッチが作動される。
【００３４】
本明細書における測定スイッチとリセット（resent）は、好ましくは両方とも電気式である。あるいは、別の一実施形態において、測定スイッチとリセットは機械式であり得る。そのような場合、作動ボタンはＭＣＵの介入なしに、これらに直接接続され得る。
【００３５】
繊維
本明細書で使用されるとき、「繊維」は任意の繊維を意味し、好ましくは、化粧品処置、化学的処置、及び／又は機械的処置のいずれかにより影響を受け得るものである。前記繊維は、好ましくは哺乳動物の毛髪であり、更に好ましくはヒトの毛髪（ヒトの毛髪に似せて製造された合成繊維（これ以降「合成毛髪」と呼ばれる）が挙げられる。ヒトの毛髪の由来は、白人、アフリカ人、アジア人、又は任意の他の由来であってもよい。毛髪繊維は、身体の任意の部位から、例えば、脚、腕、胴体、顔面又は頭皮から得ることができる。毛髪繊維は、頭皮から得ることが好ましい。
【００３６】
繊維が哺乳類の毛である場合、本発明の方法は、インビボ（生体内）で、切除することなく毛髪サンプルとして哺乳類の毛を用いて、行うことができる。あるいは、本発明の方法は、インビトロ（試験管内）で行うことができる。
【００３７】
繊維サンプルは、約１００本の繊維〜約３００，０００本の繊維、好ましくは、約５００本の繊維〜約１５０，０００本の繊維、より好ましくは、約１，０００本の繊維〜約５０，０００本の繊維を含み得る。これらの繊維サンプルは、互いに束ねられ、その束が少なくとも１つの自由端を有してもよい。通常、１つのサンプルは、同一の由来（例えば、同一人物、及び身体の同一領域）の繊維、及び／又は同一の部分（例えば、毛髪繊維の、根元端部又は先端部）の繊維を含み、並びに／あるいは同一の化粧品処置、化学的処置、及び／又は機械的処置が施されている。提供する場合、少なくとも２つの、好ましくは２つ〜４つの、より好ましくは２つの異なるケラチン繊維のサンプルである。「異なるサンプル」とは、繊維の由来、繊維の部分、及び／又は繊維に適用される処置が、互いに異なるサンプルを意味する。
【００３８】
繊維は、本発明の方法に十分な長さのものであり得る。繊維は、好ましくは１ｃｍ〜８０ｃｍ、より好ましくは１０ｃｍ〜５０ｃｍ、更により好ましくは２０ｃｍ〜３０ｃｍの長さを有する。繊維が互いに束ねられる場合、この繊維は、束ねられる点から上記の長さを有することが好ましい。
【００３９】
処置
繊維サンプルは、任意の好適な化粧品組成物処置、化学的処置、及び／又は機械的処置のいずれかにより処置され得る。この処置は、サンプル提供の前に実行され得る。この処置は、サンプル提供の前又は後に実行することができ、好ましくは測定の前に実行される。
【００４０】
この処置は、化粧品組成物を、ケラチン繊維に対して適用することにより、実行することができる。シャンプー、コンディショニング組成物、ヘアリンスオフトリートメント、ヘアリーブオントリートメント、スタイリング組成物などの、当該技術分野において既知の、いずれの好適な化粧品組成物も使用することができる。例えば、商標名Ｐａｎｔｅｎｅ（登録商標）及びＨｅａｄ  ＆  Ｓｈｏｕｌｄｅｒｓ（登録商標）の、いずれの市販のシャンプー、コンディショナー、ヘアリンスオフトリートメント、及びヘアリーブオントリートメントも使用することができる。
【００４１】
１つの組成物のみを、繊維に対して適用してもよい。あるいは、２つ又はいくつかの組成物を同時に又は順次に適用することができる。更には、各組成物の適用の前、及び／又は適用の後に、繊維を更に、湿潤させ、すすぎ洗いし、及び／又は乾燥させてもよい。一実施形態では、この処置工程は、シャンプーで繊維を処置（洗浄）し、次いで洗浄した繊維を水ですすぎ洗いし、次いで繊維を乾燥させることを含む。別の実施形態では、処置工程は、シャンプーで繊維を処置（洗浄）し、次いで洗浄した繊維を水ですすぎ洗いし、次いでコンディショニング組成物で繊維を処置し、次いで処置した繊維を水ですすぎ洗いし、次いで繊維を乾燥させることを含む。別の実施形態では、処置工程は、シャンプーで繊維を処置（洗浄）し、次いで洗浄した繊維を水ですすぎ洗いし、次いでコンディショニング組成物で繊維を処置し、次いで処置した繊維を水ですすぎ洗いし、次いでヘアリンスオフトリートメントで繊維を少なくとも１回処置し、次いで処置した繊維を水ですすぎ洗いし、次いで繊維を乾燥させることを含む。
【００４２】
別の方法として、又は補足的に、この工程は、化学的処置を使用して繊維を化学的に処置することにより、実行することができる。パーマネントウェーブ処置、ブリーチ処置、及び／又は色染め処置などの、当該技術分野において既知の、いずれの好適な化学的処置も使用することができる。
【００４３】
別の方法として、又は補足的に、この工程は、繊維を機械的に処置することにより、実行することができる。ブラッシング、くし掛け、タオル摩擦、及び／又はブロー乾燥などの、当該技術分野において既知の、いずれの好適な機械的処置も使用することができる。
【００４４】
静電荷の測定と比較
本発明のセンサは、センサと繊維サンプルとの間で接触の間じゅう、好ましくは、繊維サンプルのくし掛けの間じゅうに生成される静電荷を測定するために使用される。
【００４５】
異なる繊維サンプルの静電荷を、例えば、静電荷の違いを示すことによって、比較することができる。
【００４６】
この比較は、繊維に対する１つの処置の効果を、未処置のものと比較するのに有益である。一実施形態では、一方のサンプルは、未処置の繊維を含み得、他方のサンプルは、化粧品組成物で処置された繊維を含み得る。他方のサンプルは、シャンプー、及び／又はコンディショニング組成物、及び／又はヘアリンスオフトリートメント、及び／又はリーブオントリートメント、及び／又は任意の他の好適な化粧品組成物で処置することができる。処置された繊維と未処置の繊維との比較は、シャンプーなどの組成物の、毛髪に対する損傷効果を評価するために、また対照的に、コンディショニング組成物などの組成物の利益を評価するために、有益である。そのような利益は、例えば、繊維の静電荷、もつれほぐし、及び／又は摩擦の低減；繊維の静電荷、もつれほぐし、及び／又は摩擦の増加防止；繊維の損傷の低減、防止、及び／又は修復；繊維の滑らかさ及び／又は水分量の増加及び／又は改善であり得る。
【００４７】
この比較は更に、少なくとも２つの異なる処置の効果を比較するのに有益である。そのような効果は、例えば、繊維の静電荷、もつれほぐし、及び／又は摩擦の低減；繊維の静電荷、もつれほぐし、及び／又は摩擦の増加防止；繊維の損傷の低減、防止、及び／又は修復；繊維の滑らかさ及び／又は水分量の増加及び／又は改善であり得る。
【００４８】
一実施形態では、サンプルは、異なる化粧品組成物で処置することができる。例えば、非網羅的に、（１）１つのサンプルを１つのシャンプーで処置することができ、別のサンプルを別のシャンプーで処置することができ、（２）１つのサンプルを１つのシャンプーで処置することができ、別のサンプルを同じシャンプーで処置してから１つのコンディショナーで処置することができ、（３）１つのサンプルを１つのシャンプーで処置してから１つのコンディショナーで処置することができ、別のサンプルを同じシャンプーで処置してから別のコンディショナーで処置することができ、（４）１つのサンプルを１つのシャンプーで処置してから１つのコンディショナーで処置することができ、別のサンプルを同じシャンプーで処置してから同じコンディショナーで処置し、次にリンスオフトリートメントで処置することができ、（５）１つのサンプルを１つのシャンプーで処置してから１つのコンディショナーで処置することができ、別のサンプルを同じシャンプーで処置してから同じコンディショナーで処置し、次にリーブオントリートメントで処置することができ、（６）１つのサンプルを１つのシャンプーで処置してから１つのコンディショナーで処置することができ、別のサンプルを別のシャンプーで処置してから同じコンディショナーで処置することができ、（７）１つのサンプルを１つのシャンプーで１回処置することができ、別のサンプルを同じシャンプーで２回又は複数回処置することができ、（８）１つのサンプルを１つのコンディショナーで１回処置することができ、別のサンプルを同じコンディショナーで２回又は複数回処置することができる。異なる処置がなされた繊維を比較するのは、異なるシャンプーの損傷効果の比較（（１）を参照）、シャンプー処置に対するコンディショナーの緩和効果の評価（（２）を参照）、コンディショナー組成物の効果の比較（（３）を参照）、シャンプー処置に対するリンスオフトリートメントの緩和効果の評価（（４）を参照）、シャンプー処置に対するリーブオントリートメントの緩和効果の評価（（５）を参照）、異なるシャンプー処置に対する１つのコンディショナーの緩和効果の比較（（６）を参照）、繊維に対する繰り返し処置の効果の比較（（７）及び（８）を参照）のために有益である。
【００４９】
比較は、例えば、化学的処置及び／又は機械的処置の効果を比較するために有益である。例えば、一実施形態では、一方のサンプルは、未処置の繊維を含み得、他方のサンプルは、化学的に処置されている繊維を含む。別の方法としては、サンプルは、異なる化学的処置で処置された繊維を含み得る。別の実施形態では、一方のサンプルは、未処置の繊維を含み得、他方のサンプルは、機械的に処置されている繊維を含み得る。別の方法としては、サンプルは、異なる機械的処置で処置された繊維を含み得る。
【００５０】
２つの異なるサンプル間の比較は、広告主張を支持するために使用することができ、例えば、ある処置の効果の広告、及び／又は、１つの処置の他の処置に対する優位性の広告に使用することができる。そのような効果は、例えば、繊維の静電荷、もつれほぐし、及び／又は摩擦の低減；繊維の静電荷、もつれほぐし、及び／又は摩擦の増加防止；繊維の損傷の低減、防止、及び／又は修復；繊維の滑らかさ及び／又は水分量の増加及び／又は改善であり得る。
【００５１】
１つの処置（例えば、コンディショニング組成物）を別の処置と比較して広告する場合、本発明の方法を使用して得られたデータ及び／又は写真はしたがって、上述の処置が他の処置と比べて優れた効能を提供するという広告内容の、裏付け及び／又は立証のために使用することができる。
【実施例】
【００５２】
材料
サンプル：長さ約３０ｃｍ、１０ｇ束の東洋人バージン毛髪繊維
センサ：図１に示すセンサハンドル内部の機構と、金属製くしセンサヘッド及びディスプレイへの接続を有し、かつ：
絶縁されたセンサハンドルと、
センサハンドルに接続し、かつくし歯を有するアルミニウム製くしセンサヘッドと、
電位計、コンデンサ、データ格納及び計算機として機能するＭＣＵ、及び放電機能であって、これら全てがハンドルの中にある、該電位計、コンデンサ、データ格納及び計算機として機能するＭＣＵ、及び放電機能と、
ハンドル上のディスプレイと、
ハンドル上にあり、ハンドル内部のＭＣＵに接続している金属製作動ボタンであって、ＭＣＵを介してディスプレイ及び放電などのいくつかの機能を作動させる、金属製作動ボタンとを備える。
【００５３】
各くし歯の間の隙間は約１〜５ｍｍであり、くしセンサヘッドの長さ（最初のくし歯から最後のくし歯までの距離であって、この最初のくし歯はハンドルからくしセンサヘッドの近位端にあり、最後のくし歯はハンドルからくしセンサヘッドの遠位端にある）は約５０〜１００ｍｍであってよく、くしセンサヘッドの幅（これはくし歯の長さにほぼ等しい）は約２０〜４０ｍｍであってよい。
【００５４】
非コンディショニングシャンプー組成物：ｐＨ＝５〜７であり、ラウレス−３硫酸アンモニウム（１２．８％）、ラウリル硫酸アンモニウム（９．１％）、コカミドＤＥＡ（２．３％）、キシレンスルホン酸アンモニウム（１％）、ＥＤＴＡ（０．１％）、防腐剤（＜１％）、残部の（１００％とする）水を含む。
【００５５】
コンディショニングのシャンプー組成物：ｐＨ＝５〜７であり、ラウレス−３硫酸アンモニウム（８．５％）、ラウリル硫酸アンモニウム（１．７％）、コカミドプロピルベタイン（１．７％）、ラウロアンホ酢酸ナトリウム（１．７％）、コカミドＭＥＡ（０．８５％）、ジステアリン酸グリコール（１．５％）、ポリクオタニウム−１０（０．４％）、ジメチコン（１％）、防腐剤（０．６％）、残部の（１００％とする）水を含む。
【００５６】
コンディショニング組成物：ｐＨ＝５〜７であり、ベヘントリモニウムメトサルフェート（２．２％）、脂肪族アルコール（３．８％）、アミノジメチコン（１．５％）、防腐剤（０．６％）、残部の（１００％とする）水を含む。
【００５７】
化合物の百分率は、組成物の総重量当たりの重量パーセントである。
【００５８】
プロトコル
実行される方法に応じて、工程の一部、例えばシャンプー及び／又はコンディショニング工程は、省略されて良い。
１．［サンプルＡ及びＢのサンプル提供工程］上記の毛髪サンプルを調製する。
２．［サンプルＡ及びＢのシャンプー工程］：
２．１サンプルをバーに掛ける
２．２サンプルを湿らせる
２．３  １ｍｌの非コンディショニングシャンプー組成物をサンプルに塗布し、３０秒間泡立てる
２．４サンプルを３０秒間すすぎ洗いする
２．５  ２．３及び２．４を繰り返す
２．６サンプルを１２０秒間すすぎ洗いし、そのサンプルを絞って過剰な水を除去する
２．７サンプルを２４時間乾燥させる。
３．［サンプルＡのみのコンディショニングシャンプー工程］：
３．１サンプルをバーに掛ける
３．２サンプルを湿らせる
３．３  １ｍｌの非コンディショニングシャンプー組成物をサンプルに塗布し、３０秒間泡立てる
３．４サンプルを３０秒間すすぎ洗いする
３．５  ２．３及び２．４を繰り返す
３．６サンプルを１２０秒間すすぎ洗いし、そのサンプルを絞って過剰な水を除去する
４．［サンプルＡのみのコンディショニング工程］
４．１サンプルをバーに掛ける
４．２  １ｍｌのコンディショニングシャンプー組成物をサンプルに塗布し、３０秒間絞り出す
４．３サンプルを３０秒間すすぎ洗いし、そのサンプルを絞って過剰な水を除去する
４．４サンプルをタオルで軽くたたいて乾燥させ、１回くし掛けする
４．５サンプルを２４時間乾燥させる
５．［サンプルＡ及びＢの測定工程］上述のブラシを用いて、相対湿度約４０％で、毛髪サンプルの静電荷を測定する。詳細には、くし掛けの間じゅうに生成された静電荷は、ＭＣＵを介した作動ボタンによる測定スイッチの作動に応じて、金属製くしヘッドからコンデンサへと伝送され、電位計により測定される。静電荷はＭＣＵを介してディスプレイに表示され、ＭＣＵに記録される。次に、放電機能として作用するリセットスイッチが、ＭＣＵを介して作動ボタンにより、作動される。その後、センサは次の測定の準備が完了となる。
６．［比較工程］２つの異なるサンプルの静電荷を比較する。
【００５９】
静電荷の比較
上述の材料及びプロトコルに従って、表１に示すように異なる処置を受けた２つのサンプルが提供され、くし掛けの間じゅうに生成された静電荷が、上述のブラシセンサによって測定される。測定結果を下の表１に示す。
【００６０】
【表１】
2017521665.tif 000003
【００６１】
表１に示すように、サンプルＡの静電荷はサンプルＢの静電荷よりもはるかに低い。このことは更に、サンプルＡのみに使用されたコンディショニングシャンプー及び／又はコンディショニング組成物の効果を示す。
【００６２】
本明細書で開示する寸法及び値は、列挙された正確な数値に厳密に限られるとして理解されるべきではない。それよりむしろ、特に指示がない限り、このような寸法はそれぞれ、列挙された値とその値を囲む機能的に同等な範囲との両方を意味することを意図する。例えば、「４０ｍｍ」として開示される寸法は、「約４０ｍｍ」を意味することを意図する。
【００６３】
発明を実施するための形態において引用された全ての文献は、関連部分において参照により本明細書に組み込まれている。いかなる文献の引用も、本発明に関する先行技術であることを認めるものとして解釈されるべきではない。
【００６４】
本発明の特定の実施形態を例示及び説明してきたが、本発明の趣旨及び範囲から逸脱することなく、他の様々な変更及び修正を行うことができることは当業者には明白であろう。したがって、本発明の範囲内に含まれるそのような全ての変更及び修正は、添付の特許請求の範囲にて網羅することを意図したものである。
【図１】
2017521665.tif 000004
【国際調査報告】
2017521665.tif 000005
2017521665.tif 000006
2017521665.tif 000007